(57)【特許請求の範囲】
【請求項１】
ケースの一側面に栓刃を突設し、他の一側面に前記栓刃と電気的に接続される電源コードの挿通口を形成し、該挿通口に挿通された前記電源コードをコード当接部が略円弧状に形成された押さえ板により前記ケースの内面に形成されたコード受け部に押圧し、前記押さえ板の両端に形成されたねじ挿通孔に固定ねじを挿通させて前記ケースの内面に形成されたねじ穴に螺着し、前記電源コードを挟持固定して成る差込プラグにおいて、前記コード受け部に対する前記押さえ板のコード当接部の高さが前記電源コードの挿入方向に段階的に小さくなるように形成したことを特徴とする差込プラグ。
【請求項２】
前記押さえ板及び前記コード受け部の一方又は両方のコード当接面に滑り止めを設けたことを特徴とする請求項１に記載の差込プラグ。
【請求項３】
前記押さえ板の前記ねじ挿通孔を前記電源コードの挿通方向に長い長孔形状とし、両側の前記固定ねじを結ぶ直線上で前記電源コードを押さえるようにして固定したことを特徴とする請求項１又は請求項２に記載の差込プラグ。
【発明の詳細な説明】
【技術分野】
【０００１】
本発明は、電源コードの先端に設けられる差込プラグに関する。
【背景技術】
【０００２】
一般に接地極を有する３極型の差込プラグに接続される電源コードは３本の電線を収束して構成しているので直径が太い。この直径の太い電源コードを差込プラグのケースに固定する構造としては、例えば、ケースの一側面に形成された挿通口の内側にコード受け部を形成し、このコード受け部に電源コードを当接させて横長の押さえ板で押さえ、押さえ板の両端に固定ねじを挿通させてケースの内面に形成されたねじ穴に螺着することにより電源コードを挟持して固定していた（例えば、特許文献１参照。）。
【０００３】
【特許文献１】特開２００５−１３５６１５号公報
【発明の開示】
【発明が解決しようとする課題】
【０００４】
差込プラグに接続される電源コードは電気機器の消費電力に応じて直径が異なる場合があり、従来の差込プラグでは電源コードの太さによって締め付け力にばらつきが生じ、細い電源コードを固定した場合は締め付け力が弱いことがあり、コード部が引っ張られると栓刃との接続部に力がかかって断線する虞があるし、太い電源コードを固定した場合は固定ねじの締め付け過ぎによりコード部が押し潰されて芯線を傷める虞があった。
【課題を解決するための手段】
【０００５】
本発明は、請求項１に記載の発明によれば、ケースの一側面に栓刃を突設し、他の一側面に栓刃と電気的に接続される電源コードの挿通口を形成し、挿通口に挿通された電源コードをコード当接部が略円弧状に形成された押さえ板によりケースの内面に形成されたコード受け部に押圧し、押さえ板の両端に形成されたねじ挿通孔に固定ねじを挿通させてケースの内面に形成されたねじ穴に螺着し、電源コードを挟持固定して成る差込プラグにおいて、コード受け部に対する押さえ板のコード当接部の高さが電源コードの挿入方向に段階的に小さくなるように形成したことを特徴とする。
【０００６】
請求項２に記載の発明によれば、請求項１に記載の差込プラグにおいて、押さえ板及びコード受け部の一方又は両方のコード当接面に滑り止めを設けたことを特徴とする。
【０００７】
請求項３に記載の発明によれば、請求項１又は請求項２に記載の差込プラグにおいて、押さえ板のねじ挿通孔を電源コードの挿通方向に長い長孔形状とし、両側の固定ねじを結ぶ直線上で電源コードを押さえるようにして固定したことを特徴とする。
【発明の効果】
【０００８】
請求項１に記載の発明によれば、異なる直径の電源コードを同じ締め付け力で固定することができるという効果がある。
【０００９】
請求項２に記載の発明によれば、請求項１に記載の発明の効果に加えて、電源コードの固定を強化することができるという効果がある。
【００１０】
請求項３に記載の発明によれば、請求項１又は請求項２に記載の発明の効果に加えて、両側の固定ねじを結ぶ直線上で電源コードを押さえることができて確実に固定ができるという効果がある。
【発明を実施するための最良の形態】
【００１１】
差込プラグは栓刃が突設されたベースに形成された電源コードを挿通するための挿通口の内側に電源コードを配置するためのコード受け部を形成し、コード受け部と対向して配置される押さえ板の略円弧状に形成されたコード当接部をコード受け部に対する高さが電源コードの挿入方向に段階的に小さくなるように３段に形成する。また、押さえ板の両端部にねじ挿通孔を形成し、このねじ挿通孔と対向するコード受け部の左右両側にねじ穴を形成する。電源コードは押さえ板の複数段のコード当接部から直径に合う箇所を選択して当接させ、コード受け部に押さえ付けて両側のねじ挿通孔に固定ねじを挿通させ、ねじ穴に螺着することにより電源コードを押さえ板とコード受け部で挟持して固定する。
【実施例１】
【００１２】
本発明に係る差込プラグの実施例１を図１及び図２の添付図面に基づいて説明する。
【００１３】
差込プラグ１はベース２とカバー３とでケースを構成し、３極型の場合、ベース２の一側面に２本の平型の栓刃５が離間して突設され、この２本の栓刃５と離間して接地極を成す１本の略Ｕ字状の栓刃６が突設されている。
【００１４】
また、ベース２とカバー３が接合する面に半円部が夫々切り欠き形成され、接合時に円形となって電源コード７が挿通する挿通口９が設けられている。ベース２の挿通口９は内側方向に半円部が延設されて電源コード７が配置されるコード受け部１０が形成されている。
【００１５】
コード受け部１０と対向して配置される横長の押さえ板１２は中央のコード当接部１３が円弧状に形成され、コード当接部１３はコード受け部１０に対する高さが電源コード７の挿入方向に段階的に小さくなるように３段に形成されている。また、両端部に固定ねじ１５が挿通するためのねじ挿通孔１４が形成されている。そして、押さえ板１２のねじ挿通孔１４と対向するコード受け部１０の両側には固定ねじ１５が螺合するねじ穴１１が形成されている。
【００１６】
このようにして形成された差込プラグ１に電源コード７を固定するには、まず、ベース２からカバー３を取り外し、押さえ板１２の複数段のコード当接部１３から電源コード７の直径に合う箇所を選択し、そこに電源コード７のコード部７ａの先端部分を合わせてコード受け部１０に押さえ付ける。即ち、太い電源コード７は挿通口９からの挿入量を少なくして挿通口９に近い位置のコード当接部１３で押さえ、細い電源コード７は挿通口９からの挿入量を多くして挿通口９から遠い位置のコード当接部１３で押さえるようにする。それから、両側のねじ挿通孔１４に固定ねじ１５を挿通させてねじ穴１１に螺着することにより電源コード７を押さえ板１２とコード受け部１０で挟持して固定する。こうして、電源コード７を固定した後は、電源コード７内の各電線７ｂを対応する栓刃５，６に電気的に接続し、接続が完了したらベース２にカバー３を取り付ける。
【００１７】
尚、本実施例では３極型の差込プラグについて説明したが、２極型の差込プラグに適用することも可能である。また、押さえ板及びコード受け部の一方又は両方のコード当接面に滑り止めを設けることにより電源コードの固定を強化することができる。また、本実施例では押さえ板のコード当接部は３段であるが、複数段であれば何段であってもよく、その他の形状及び構造について本発明の趣旨を逸脱しない範囲において適宜に変更して実施することも可能である。
【実施例２】
【００１８】
本発明に係る差込プラグの実施例２を図３〜図６の添付図面に基づいて説明する。
【００１９】
差込プラグ２１はベース２２とカバー２３とでケースを構成し、３極型の場合、ベース２２の一側面に２本の平型の栓刃２５が離間して突設され、この２本の栓刃２５と離間して接地極を成す１本の略Ｕ字状の栓刃２６が突設されている。
【００２０】
また、ベース２２とカバー２３が接合する面に半円部が夫々切り欠き形成され、接合時に円形となって電源コード２７が挿通する挿通口２９が設けられている。ベース２２の挿通口２９は内側方向に半円部が延設されて電源コード２７が配置されるコード受け部３０が形成されている。
【００２１】
コード受け部３０と対向して配置される横長の押さえ板３２は中央のコード当接部３３が円弧状に形成され、コード当接部３３はコード受け部３０に対する高さが電源コード２７の挿入方向に段階的に小さくなるように３段に形成されている。また、両端部に固定ねじ３５が挿通するためのねじ挿通孔３４が電源コード２７の挿通方向に長い長孔形状に形成されている。そして、押さえ板３２のねじ挿通孔３４と対向するコード受け部３０の両側には固定ねじ３５が螺合するねじ穴３１が形成されている。
【００２２】
このようにして形成された差込プラグ２１に電源コード２７を固定するには、まず、ベース２２からカバー２３を取り外し、押さえ板３２の複数段のコード当接部３３から電源コード２７の直径に合う箇所を選択し、そこに電源コード２７のコード部２７ａの先端部分を合わせてコード受け部３０に押さえ付ける。そして、両側のねじ挿通孔３４に固定ねじ３５を挿通し、両側の固定ねじ３５を結ぶ直線上に電源コード２７を押さえたコード受け部３０の位置が合うように押さえ板３２の位置を調整して固定ねじ３５をねじ穴３１に螺着することにより、電源コード２７を押さえ板３２とコード受け部３０で挟持して固定する。即ち、太い電源コード２７を固定する場合は、図５に示すように挿通口２９から近い位置のコード当接部３３で電源コード２７を押さえた後、押さえ板３２を挿通口２９から離れた位置で固定することになり、細い電源コード２７を固定する場合は、図６に示すように挿通口２９から遠い位置のコード当接部３３で電源コード２７を押さえた後、押さえ板３２を挿通口２９に近い位置で固定することとなる。こうして、電源コード２７を固定した後は、電源コード２７内の各電線２７ｂを対応する栓刃２５，２６に電気的に接続し、接続が完了したらベース２２にカバー２３を取り付ける。
【００２３】
以上のように、押さえ板３２のねじ挿通孔３４を長孔形状にすることで両側の固定ねじ３５を結ぶ直線上で電源コード２７を押さえることができ、確実に固定ができる。
【００２４】
尚、本実施例では３極型の差込プラグについて説明したが、２極型の差込プラグに適用することも可能である。また、押さえ板及びコード受け部の一方又は両方のコード当接面に滑り止めを設けることにより電源コードの固定を強化することができる。また、本実施例では押さえ板のコード当接部は３段であるが、複数段であれば何段であってもよく、その他の形状及び構造について本発明の趣旨を逸脱しない範囲において適宜に変更して実施することも可能である。
【図面の簡単な説明】
【００２５】
【図１】本発明の実施例１に係る差込プラグを示す分解斜視図である。
【図２】本発明の実施例１に係る差込プラグに電源コードを固定した状態を示し、カバーを取り外した状態の正面図である。
【図３】本発明の実施例２に係る差込プラグを示す分解斜視図である。
【図４】本発明の実施例２に係る差込プラグに電源コードを固定した状態を示し、カバーを取り外した状態の正面図である。
【図５】本発明の実施例２に係る差込プラグに太い電源コードを固定した状態を示し、カバーを取り外した状態の正面図である。
【図６】本発明の実施例２に係る差込プラグに細い電源コードを固定した状態を示し、カバーを取り外した状態の正面図である。
【符号の説明】
【００２６】
１    差込プラグ
２    ベース
７    電源コード
１０    コード受け部
１１    ねじ穴
１２    押さえ板
１３    コード当接部
１４    ねじ挿通孔
１５    固定ねじ
【図１】
0004678851.tif 000002
【図２】
0004678851.tif 000003
【図３】
0004678851.tif 000004
【図４】
0004678851.tif 000005
【図５】
0004678851.tif 000006
【図６】
0004678851.tif 000007